(57)【要約】【課題】光ファイバ心線の損傷防止およびスロット単位で光ファイバ心線を接続する際の作業性の向上が図れる光ファイバ把持具を提供する。【解決手段】光ファイバ把持具１００は、光ファイバ固定部１１０と、光ファイバ把持具１００を固定するための把持具固定部１２０と、光ファイバ固定部１１０と把持具固定部１２０とを連結して後者に対して前者を任意の姿勢に保持するための連結部１３０とを具備する。光ファイバ固定部１１０は、第１乃至第３の光ファイバ心線２1〜２3の第１乃至第３のシリコンチューブ５1〜５3が被せられた部分を把持して第１乃至第３の光ファイバ心線２1〜２3を固定するための第１乃至第３のスリット１１２1〜１１２3がスリット形成面に形成されたスポンジ部１１１と、スポンジ部１１１のスリット形成面以外の面を支持してスポンジ部１１１を支持するための支持部１１３とを備える。【選択図】図１
2008102386.tif 000002
【特許請求の範囲】
【請求項１】
複数の光ファイバ心線の接続作業をする際に用いられる光ファイバ把持具（１００）であって、
保護用チューブ（５1〜５3）が被せられた複数の光ファイバ心線（２1〜２3）を固定するための光ファイバ固定部（１１０）と、
前記光ファイバ把持具を固定するための把持具固定部（１２０）と、
前記光ファイバ固定部と前記把持具固定部とを連結して該把持具固定部に対して該光ファイバ固定部を任意の姿勢に保持するための連結部（１３０）とを具備し、
前記光ファイバ固定部が、
前記複数の光ファイバ心線の前記保護用チューブが被せられた部分を把持して該複数の光ファイバ心線を固定するためのスリット（１１２1〜１１２3）がスリット形成面に形成されたスポンジ部（１１１）と、
該スポンジ部のスリット形成面以外の面を支持して該スポンジ部を支持するための支持部（１１３）とを備える、
ことを特徴とする、光ファイバ把持具。
【請求項２】
複数の光ファイバ心線の接続作業をする際に用いられる光ファイバ把持具（２００；３００；４００；５００）であって、
保護用チューブが被せられた複数の光ファイバ心線を固定するための光ファイバ固定部（２１０；３１０；４１０；５１０）と、
前記光ファイバ把持具を固定するための把持具固定部（２２０；３２０；４２０；５２０）と、
前記光ファイバ固定部と前記把持具固定部とを連結して該把持具固定部に対して該光ファイバ固定部を任意の姿勢に保持するための連結部（２３０；３３０；４３０；５３０）とを具備し、
前記光ファイバ固定部が、
前記複数の光ファイバ心線の前記保護用チューブが被せられた部分を把持して該複数の光ファイバ心線を固定するための縦スリット（２１４；３１４；４１４；５１４）および複数の横スリット（２１２1〜２１２8；３１２1〜３１２8；４１２1〜４１２8；５１２1〜５１２8）が形成されたスポンジ部（２１１；３１１；４１１；５１１）と、
該スポンジ部を支持するための支持部（２１３；３１３；４１３；５１３）とを備え、
前記縦スリットが、前記支持部によって支持されていない前記スポンジ部の開放面から該スポンジ部を２分割するように形成されており、
前記複数の横スリットが、前記縦スリットに対して垂直に形成されている、
ことを特徴とする、光ファイバ把持具。
【請求項３】
前記スポンジ部に、前記複数の光ファイバ心線が含まれた光ファイバテープ心線のスロット番号および前記保護用チューブの色が前記スリットまたは前記複数の横スリットの各々の付近に記されていることを特徴とする、請求項１または２記載の光ファイバ把持具。
【請求項４】
前記複数の横スリット（２１２1〜２１２8）が、前記縦スリット（２１４）によって分割された前記スポンジ部（２１１）の一方に形成されていることを特徴とする、請求項２または３記載の光ファイバ把持具。
【請求項５】
前記複数の横スリット（３１２1〜３１２8）が、前記縦スリット（３１４）の両側に形成されていることを特徴とする、請求項２または３記載の光ファイバ把持具。
【請求項６】
前記複数の横スリットが同じ長さで形成されていることを特徴とする、請求項４または５記載の光ファイバ把持具。
【請求項７】
前記複数の横スリット（４１２1〜４１２8）が、前記縦スリット（４１４）に沿って順次長くまたは短くなるように形成されていることを特徴とする、請求項４または５記載の光ファイバ把持具。
【請求項８】
作業用縦スリット（５１５）が、前記スポンジ部（５１１）の開放面から前記縦スリット（５１４）と平行に形成されていることを特徴とする、請求項２乃至７いずれかに記載の光ファイバ把持具。
【発明の詳細な説明】
【技術分野】
【０００１】
本発明は、光ファイバ把持具に関し、特に、屋外などにおいて複数の光ファイバ心線の接続作業をする際に光ファイバ心線を保護するのに好適な光ファイバ把持具に関する。
【背景技術】
【０００２】
通信事業者の局舎と一般ユーザ宅とを接続する光ファイバケーブルを架設する際には、通信事業者の局舎からの光ファイバケーブルから光ファイバ心線を取り出して、電柱などに設置されたドロップクロージャにおいてこの取り出した光ファイバ心線と一般ユーザ宅へ引き込む光ファイバ心線とを接続する作業が行われる。
【０００３】
また、電柱などに設置されたクロージャにおいて幹線系光ファイバケーブルと支線系光ファイバケーブルとを接続する作業を行う際にも、幹線系光ファイバケーブルから光ファイバ心線をスロット単位で取り出して、取り出した光ファイバ心線と支線系光ファイバケーブルの光ファイバ心線とをスロット単位で接続する作業が行われる。
【０００４】
従来、このような光ファイバ心線の接続作業は高所作業車を用いるか足場を構築して行っているので、多数の細くて長い光ファイバ心線を非常に狭い作業場所で取り扱う必要がある。そのため、作業員は、光ファイバ心線が不用意に絡まって光ファイバ心線に無理な力が加わらないように細心の注意を払いながら光ファイバ心線の接続作業を行っている。
【０００５】
なお、本出願人は、下記の特許文献１において、狭い作業場所でも光ファイバ心線が風などで振れて損傷しないようにした光ケーブル心線振止め具を提案している。また、下記の特許文献２において、光ファイバ心線を所望の位置に所望の姿勢にて固定することにより、狭い作業場所でも光ファイバ心線にストレスを与えることなく接続作業が行えるようにした光ファイバ把持具を提案している。
【０００６】
下記の特許文献３には、配線ケーブルに沿ったケーブル支持プレートに、配線ケーブル支持用の鋼撚り線からなる支持線に固定するハンガーと、ケーブルの二点を把持するケーブル把持部とを設け、ケーブル把持部に、配線ケーブルに圧接するように把持力６０〜９０ｋｇ好ましくは７０〜８０ｋｇを持つ合成ゴムからなる弾性把持部材を取付片によって挟圧配備した構成のケーブル留め具が開示されている。このケーブル留め具では、架空での光ケーブル配線において、接続ケーブル余長収納をケーブルを巻き付けて行う場合に、作業に手数と時間が掛からず、配線工事に作業者によるバラツキが生じることなく、ケーブルを収めて取り付けられ、ケーブルおよび心線に損傷を与えることなく、引っ張り強度の保証を確実化して信号伝送特性を維持できるほか、接続余長の取扱い並びに配線工事の安全簡便化を図り、ケーブル接続余長の信頼性を高めている。
【特許文献１】特願２００５−３６２７６１号
【特許文献２】特願２００５−１２４２９４号
【特許文献３】特開２００４−３０２４１８号公報
【発明の開示】
【発明が解決しようとする課題】
【０００７】
しかしながら、光ファイバ心線の接続作業は、上述したように屋外での作業となりまた高所で行われることが多いため、風などの自然の影響や人的影響などによって光ファイバケーブルやクロージャなどが揺れて光ファイバ心線同士または光ファイバ心線と他の部材とが接触または衝突すると、剥き出しにされた光ファイバ心線が折れたり傷付いたりするという問題があった。
上記特許文献１，２において本出願人が提案している光ケーブル心線振止め具および光ファイバ把持具は、このような問題を解決する手段として有効なものであるが、光ファイバ心線をスロット単位で接続する際の作業性を十分に考慮したものではない。上記特許文献３に開示されているケーブル留め具についても同様である。
【０００８】
本発明の目的は、光ファイバ心線の損傷防止およびスロット単位で光ファイバ心線を接続する際の作業性の向上が図れる光ファイバ把持具を提供することにある。
【課題を解決するための手段】
【０００９】
本発明の光ファイバ把持具は、複数の光ファイバ心線の接続作業をする際に用いられる光ファイバ把持具（１００）であって、保護用チューブ（５1〜５3）が被せられた複数の光ファイバ心線（２1〜２3）を固定するための光ファイバ固定部（１１０）と、前記光ファイバ把持具を固定するための把持具固定部（１２０）と、前記光ファイバ固定部と前記把持具固定部とを連結して該把持具固定部に対して該光ファイバ固定部を任意の姿勢に保持するための連結部（１３０）とを具備し、前記光ファイバ固定部が、前記複数の光ファイバ心線の前記保護用チューブが被せられた部分を把持して該複数の光ファイバ心線を固定するためのスリット（１１２1〜１１２3）がスリット形成面に形成されたスポンジ部（１１１）と、該スポンジ部のスリット形成面以外の面を支持して該スポンジ部を支持するための支持部（１１３）とを備えることを特徴とする。
また、本発明の光ファイバ把持具は、複数の光ファイバ心線の接続作業をする際に用いられる光ファイバ把持具（２００；３００；４００；５００）であって、保護用チューブが被せられた複数の光ファイバ心線を固定するための光ファイバ固定部（２１０；３１０；４１０；５１０）と、前記光ファイバ把持具を固定するための把持具固定部（２２０；３２０；４２０；５２０）と、前記光ファイバ固定部と前記把持具固定部とを連結して該把持具固定部に対して該光ファイバ固定部を任意の姿勢に保持するための連結部（２３０；３３０；４３０；５３０）とを具備し、前記光ファイバ固定部が、前記複数の光ファイバ心線の前記保護用チューブが被せられた部分を把持して該複数の光ファイバ心線を固定するための縦スリット（２１４；３１４；４１４；５１４）および複数の横スリット（２１２1〜２１２8；３１２1〜３１２8；４１２1〜４１２8；５１２1〜５１２8）が形成されたスポンジ部（２１１；３１１；４１１；５１１）と、該スポンジ部を支持するための支持部（２１３；３１３；４１３；５１３）とを備え、前記縦スリットが、前記支持部によって支持されていない前記スポンジ部の開放面から該スポンジ部を２分割するように形成されており、前記複数の横スリットが、前記縦スリットに対して垂直に形成されていることを特徴とする。
ここで、前記スポンジ部に、前記複数の光ファイバ心線が含まれた光ファイバテープ心線のスロット番号および前記保護用チューブの色が前記スリットまたは前記複数の横スリットの各々の付近に記されていてもよい。
前記複数の横スリット（２１２1〜２１２8）が、前記縦スリット（２１４）によって分割された前記スポンジ部（２１１）の一方に形成されていてもよい。
前記複数の横スリット（３１２1〜３１２8）が、前記縦スリット（３１４）の両側に形成されていてもよい。
前記複数の横スリットが同じ長さで形成されていてもよい。
前記複数の横スリット（４１２1〜４１２8）が、前記縦スリット（４１４）に沿って順次長くまたは短くなるように形成されていてもよい。
作業用縦スリット（５１５）が、前記スポンジ部（５１１）の開放面から前記縦スリット（５１４）と平行に形成されていてもよい。
【発明の効果】
【００１０】
本発明の光ファイバ把持具は、以下に示す効果を奏する。
（１）光ファイバ固定部のスポンジ部に形成されたスリットによって複数の光ファイバ心線の保護用チューブが被せられた部分を把持して複数の光ファイバ心線を固定することにより、光ファイバ心線が風などで振れて損傷しないようにすることができる。
（２）支持部によって支持されていないスポンジ部の開放面からスポンジ部を２分割する縦スリットに対して垂直に形成された複数の横スリットによって複数の光ファイバ心線の保護用チューブが被せられた部分を把持することにより、複数の光ファイバ心線がスポンジ部から外れることを完全に防止することができる。
（３）複数の光ファイバ心線が含まれた光ファイバテープ心線のスロット番号および保護用チューブの色をスポンジ部のスリットまたは複数の横スリットの各々の付近に記すことにより、作業員はスロット番号および保護用チューブの色を容易に確認することができるので、スロット単位で光ファイバ心線を接続する際の作業性を向上することができる。
【発明を実施するための最良の形態】
【００１１】
上記の目的を、複数の光ファイバ心線の保護用チューブが被せられた部分を把持して複数の光ファイバ心線を固定するためのスリットが形成されたスポンジ部とスポンジ部を支持するための支持部とを備えた光ファイバ固定部を具備することにより実現した。
【実施例１】
【００１２】
以下、本発明の光ファイバ把持具の実施例について、図面を参照して説明する。
本発明の第１の実施例による光ファイバ把持具１００は、図１に示すように、光ファイバ固定部１１０と、把持具固定部１２０と、連結部１３０とを具備する。
【００１３】
光ファイバ固定部１１０は、たとえば光ファイバケーブルから取り出された光ファイバ心線をスロット単位で把持して固定するためのものであり、スポンジ部１１１と支持部１１３とを備える。
ここで、スポンジ部１１１は直方体の形状を有し、スポンジ部１１１の一側面（以下、「スリット形成面」と称する。）には、光ファイバ心線をスロット単位で把持するための第１乃至第３のスリット１１２1〜１１２3が、所定の間隔で形成されている。
支持部１１３は、スポンジ部１１１のスリット形成面以外の３つの側面を支持することによってスポンジ部１１１を支持するためのものである。なお、スポンジ部１１１のこの３つの側面は、接着剤などによって支持部１１３に取り付けられている。
【００１４】
把持具固定部１２０は、光ファイバケーブルやクロージャ内の心線収容トレー固定金具などを把持して光ファイバ把持具１００を固定するためのものであり、クリップ状の部材からなる。すなわち、把持具固定部１２０は、第１および第２の挟持部１２１1，１２１2と支点１２２とを備え、支点１２２を中心として第１および第２の挟持部１２１1，１２１2をはさみ状に動かして光ファイバケーブルや心線収容トレー固定金具などを第１および第２の挟持部１２１1，１２１2によって挟んで光ファイバ把持具１００を固定するように構成されている。
また、滑り易い金属部分などにも光ファイバ把持具１００を固定することができるように、第１および第２の挟持部１２１1，１２１2の光ファイバケーブルや心線収容トレー固定金具などを挟む部分には第１および第２の滑止め部材１２３1，１２３2がそれぞれ取り付けられている。
【００１５】
連結部１３０は、光ファイバ固定部１１０と把持具固定部１２０とを連結するためのものであり、たとえばアルミニウム線などの金属の線材からなる。また、連結部１３０の一端は光ファイバ固定部１１０の支持部１１２に固定されており、連結部１３の他端は把持具固定部１２０の支点１２２に固定されている。さらに、連結部１３０は、光ファイバ固定部１１０と把持具固定部１２０とを任意の姿勢に保持することができるように、折曲げが自在でかつ折り曲げた角度を保持できる構成となっている。
【００１６】
次に、光ファイバ把持具１００の使用方法について、光ファイバケーブル１から取り出した第１乃至第３の光ファイバ心線２1〜２3を固定する場合を例として、図２を参照して説明する。
【００１７】
作業員は、光ファイバ把持具１００の把持具固定部１２０の支点１２２を中心として第１および第２の挟持部１２１1，１２１2をはさみ状に動かして、光ファイバケーブル１を第１および第２の挟持部１２１1，１２１2によって挟むことにより、光ファイバ把持具１００を固定する。続いて、作業員は、光ファイバ固定部１１０のスポンジ部１１１のスリット形成面が上を向くように連結部１３０を折り曲げるとともに光ファイバ固定部１１０を動かす。なお、以下では、スポンジ部１１１のスリット形成面と垂直な方向を「縦方向」または「上下方向」とし、スポンジ部１１１のスリット形成面に沿った方向を「横方向」または「左右方向」とする。
【００１８】
その後、作業員は、光ファイバケーブル１を切断して光ファイバテープ心線を取り出したのち、取り出した光ファイバテープ心線の外被を剥ぎ取って第１の光ファイバ心線２1を剥き出しにする。なお、光ファイバテープ心線はスロット単位となっており、１スロットの光ファイバテープ心線には第１の光ファイバ心線２1が４心だけ通されている。
【００１９】
その後、作業員は、剥き出しにした第１の光ファイバ心線２1に第１のシリコンチューブ５1を被せたのち、第１の光ファイバ心線２1の第１のシリコンチューブ５1が被せられた部分をスポンジ部１１１に形成された第１のスリット１１２1に押し込む。続いて、作業員は、同様の作業を繰り返すことにより、第２の光ファイバ心線２2の第２のシリコンチューブ５2が被せられた部分を第２のスリット１１２2に押し込んだのち、第３の光ファイバ心線２3の第３のシリコンチューブ５3が被せられた部分を第３のスリット１１２3に押し込む。
【００２０】
これにより、第１乃至第３の光ファイバ心線２1〜２3は第１乃至第３のスリット１１２1〜１１２3によって把持されて固定されるため、第１乃至第３の光ファイバ心線２1〜２3が風などで振れて損傷されることを防止することができる。
【実施例２】
【００２１】
次に、本発明の第２の実施例による光ファイバ把持具２００について、図３を参照して説明する。
本実施例による光ファイバ把持具２００は、以下に示す点で上述した第１の実施例による光ファイバ把持具１００と異なる。
（１）光ファイバ固定部２１０のスポンジ部２１１には、図３に示すように、第１乃至第８の横スリット２１２1〜２１２8と縦スリット２１４とが形成されている。ここで、縦スリット２１４は、スポンジ部２１１の支持部２１３によって支持されていない側面（以下、「開放面」と称する。）の中央からスポンジ部２１１を２分割するように形成されている。なお、以下では、スポンジ部２１１の開放面と垂直な方向を「縦方向」または「上下方向」とし、スポンジ部２１１の開放面に沿った方向を「横方向」または「左右方向」とする。
また、第１乃至第８の横スリット２１２1〜２１２8は、長さが等しく、縦スリット２１４によって分割されたスポンジ部２１１の一方（以下、「左側」とする。）に、縦スリット２１４から縦スリット２１４に対して垂直に形成されている。
（２）光ファイバテープ心線のスロット番号“１”からスロット番号“８”と光ファイバテープ心線のスロット番号ごとに予め決められているシリコンチューブ（保護用チューブ）の色を示す表示（青、黄、赤、緑、紫、茶、橙および黒）とが、縦スリット２１４によって分割されたスポンジ部２１１の他方（以下、「右側」とする。）にかつ第１乃至第８の横スリット２１２1〜２１２8と横方向に並べられて記されている。ここで、スロット番号“１”からスロット番号“８”は、上から下に向かってスロット番号“１”からスロット番号“８”の順番で記されている。また、シリコンチューブの色を示す表示は、スロット番号“１”からスロット番号“８”の右隣りに記されている。
【００２２】
次に、光ファイバ把持具２００の使用方法について、光ファイバケーブル（不図示）から取り出した第１乃至第８の光ファイバテープ心線（不図示）にそれぞれ含まれている光ファイバ心線（不図示）を固定する場合を例として説明する。なお、第１乃至第８の光ファイバテープ心線にはスロット番号“１”からスロット番号“８”がそれぞれ記されているものとする。また、第１乃至第８の光ファイバテープ心線には光ファイバ心線が８心ずつ含まれているものとする。
【００２３】
作業員は、光ファイバ把持具２００の把持具固定部２２０の支点２２２を中心として第１および第２の挟持部２２１1，２２１2をはさみ状に動かして、光ファイバケーブルを第１および第２の挟持部２２１1，２２１2によって挟む。続いて、作業員は、光ファイバ固定部２１０のスポンジ部２１１の開放面が上を向くように連結部２３０を折り曲げるとともに光ファイバ固定部２１０を動かす。
【００２４】
その後、作業員は、光ファイバケーブルを切断して第１乃至第８の光ファイバテープ心線を取り出したのち、取り出した第１乃至第８の光ファイバテープ心線を１本ずつ光ファイバ固定部２１０によって固定する。このとき、作業員は、スロット番号順に第１乃至第８の光ファイバテープ心線を光ファイバ固定部２１０によって固定する必要はなく、たとえば、最初にスロット番号が“３”である第３の光ファイバテープ心線を光ファイバ固定部２１０によって固定する場合には、第３の光ファイバテープ心線を光ファイバ固定部２１０のスポンジ部２１１に形成された縦スリット２１４に押し込んだのち、右横にスロット番号“３”が記された第３の横スリット２１２3に押し込む。
【００２５】
第１乃至第８の光ファイバテープ心線を第１乃至第８の横スリット２１２1〜２１２8にそれぞれ押し込むと、作業員は、第１乃至第８の光ファイバテープ心線の外被を剥ぎ取って８心の光ファイバ心線を剥き出しにしたのち、剥き出しにした８心の光ファイバ心線にシリコンチューブを被せるために、まずスポンジ部２１１の第１の横スリット２１２1に押し込まれている第１の光ファイバテープ心線を光ファイバ固定部２１０から取り出す。このとき、作業員は、スポンジ部２１１の第１の横スリット２１２1の右横に記されているスロット番号“１”を確認することによって、第１の光ファイバテープ心線を確実に取り出すことができるとともに、スポンジ部２１１のスロット番号“１”の右横に記されているシリコンチューブの色“青”を確認することにより、取り出した第１の光ファイバテープ心線の外被を剥ぎ取って剥き出しにした８心の光ファイバ心線に青色のシリコンチューブを確実に被せることができる。これにより、作業員がスロット番号とシリコンチューブの色との対応表を見ながら行っていた従来のやり方に比べて作業性を向上させることができる。
【００２６】
その後、作業員は、第１の光ファイバテープ心線から剥き出しにされた８心の光ファイバ心線の青色のシリコンチューブが被せられた部分をスポンジ部２１１の縦スリット２１４に押し込んだのち、右横にスロット番号“１”が記された第１の横スリット２１２1に押し込む。続いて、作業員は、第２乃至第８の光ファイバテープ心線について順番に同様の作業を繰り返す。
【００２７】
これにより、第１乃至第８の光ファイバテープ心線からそれぞれ剥き出しにされた各８心の光ファイバ心線は第１乃至第８の横スリット２１２1〜２１２8によって固定されるため、各８心の光ファイバ心線が風などで振れて損傷されることを防止することができる。また、各８心の光ファイバ心線はスポンジ部２１１の右側で蓋をされた状態で固定されるため、各８心の光ファイバ心線がスポンジ部２１１から外れることを完全に防止することができる。
【実施例３】
【００２８】
次に、本発明の第３の実施例による光ファイバ把持具３００について、図４を参照して説明する。
本実施例による光ファイバ把持具３００は、以下に示す点で上述した第２の実施例による光ファイバ把持具２００と異なる。
（１）第１乃至第８の横スリット３１２1〜３１２8が縦スリット３１４の両側（左右）に４本ずつ形成されている。すなわち、第１乃至第４のスリット３１２1〜３１２4は縦スリット３１４の左側に形成されており、第５乃至第８のスリット３１２5〜３１２８は、縦スリット３１４の右側に第１乃至第４のスリット３１２1〜３１２4と横方向にそれぞれ並べられて形成されている。これにより、図３に示した光ファイバ固定部２１０よりも光ファイバ固定部３１０のサイズを小さくすることができる。
（２）スロット番号“１”からスロット番号“８”およびシリコンチューブの色を示す表示が第１乃至第８の横スリット３１２1〜３１２8の上に記されている。
【００２９】
光ファイバ把持具３００の使用方法については、上述した第２の実施例による光ファイバ把持具２００と同様であるので、詳しい説明は省略する。
【実施例４】
【００３０】
次に、本発明の第４の実施例による光ファイバ把持具４００について、図５を参照して説明する。
本実施例による光ファイバ把持具４００は、第１乃至第８の横スリット４１２1〜４１２8の長さが第１乃至第８の横スリット４１２1〜４１２8の順番で短くされている点で、上述した第２の実施例による光ファイバ把持具２００と異なる。
【００３１】
これにより、第１乃至第８の光ファイバテープ心線からそれぞれ剥き出しにされた各８心の光ファイバ心線を縦スリット４１４に押し込んだのちに第１乃至第８の横スリット４１２1〜４１２8の先端までそれぞれ押し込むことにより、各８心の光ファイバ心線を横方向に並べて（すなわち、横方向に重なり合うことなく）固定することができる。
【００３２】
光ファイバ把持具４００の使用方法については、上述した第２の実施例による光ファイバ把持具２００と同様であるので、詳しい説明は省略する。
【００３３】
なお、第１乃至第８の横スリット４１２1〜４１２8の長さは、第１乃至第８の横スリット４１２1〜４１２8の順番で短くなるようにしたが、第１乃至第８の横スリット４１２1〜４１２8の順番で長くなるようにしてもよい。
【実施例５】
【００３４】
次に、本発明の第５の実施例による光ファイバ把持具５００について、図６を参照して説明する。
本実施例による光ファイバ把持具５００は、縦スリット５１４によって分割されたスポンジ部５１１の右側（すなわち、スポンジ部５１１の第１乃至第８の横スリット５１２1〜５１２8が形成されていない方）に、作業用縦スリット５１５がスポンジ部５１１の開放面から縦スリット５１４と平行に形成されている点で、上述した第２の実施例による光ファイバ把持具２００と異なる。ここで、作業用縦スリット５１５の長さは、第１乃至第８の横スリット５１２1〜５１２8の長さと同じ程度でよい。
【００３５】
これにより、第１乃至第８の光ファイバテープ心線からそれぞれ剥き出しにされた各８心の光ファイバ心線のシリコンチューブが被せられた部分を第１乃至第８の横スリット５１２1〜５１２8にそれぞれ押し込んで把持して固定したのちに、スロット番号順に８心の光ファイバ心線を光ファイバ把持具５００から取り出して１心ずつ他の光ファイバケーブルの光ファイバ心線と接続する際に、取り出した８心の光ファイバ心線のシリコンチューブが被せられた部分を作業用縦スリット５１５に押し込んで把持して固定することにより、接続する光ファイバ心線以外の７心の光ファイバ心線がこの接続作業中に風などで振れて損傷されることを防止することができる。
【００３６】
光ファイバ把持具４００の使用方法については、取り出した８心の光ファイバ心線のシリコンチューブが被せられた部分を作業用縦スリット５１５に押し込んで把持して固定すること以外は上述した第２の実施例による光ファイバ把持具２００と同様であるので、詳しい説明は省略する。
【００３７】
なお、作業用縦スリット５１５をスポンジ部５１１の右側に形成したが、スポンジ部５１１の左側（すなわち、スポンジ部５１１の第１乃至第８の横スリット５１２1〜５１２8が形成されている方）に形成してもよい。また、作業用縦スリット５１５の数は２本以上であってもよい。
【００３８】
以上の説明では、スポンジ部１１１，２１１，３１１，４１１，５１１の形状を直方体としたが、それ以外の形状であってもよい。
【図面の簡単な説明】
【００３９】
【図１】本発明の第１の実施例による光ファイバ把持具１００の構成を示す図である。
【図２】図１に示した光ファイバ把持具１００の使用方法を説明するための図である。
【図３】本発明の第２の実施例による光ファイバ把持具２００の構成を示す図である。
【図４】本発明の第３の実施例による光ファイバ把持具３００の構成を示す図である。
【図５】本発明の第４の実施例による光ファイバ把持具４００の構成を示す図である。
【図６】本発明の第５の実施例による光ファイバ把持具５００の構成を示す図である。
【符号の説明】
【００４０】
１  光ファイバケーブル
２1〜２3  第１乃至第３の光ファイバ心線
５1〜５3  第１乃至第３のシリコンチューブ
１００，２００，３００，４００，５００  光ファイバ把持具
１１０，２１０，３１０，４１０，５１０  光ファイバ固定部
１１１，２１１，３１１，４１１，５１１  スポンジ部
１１２1〜１１２3  第１乃至第３のスリット
１１３，２１３，３１３，４１３，５１３  支持部
１２０，２２０，３２０，４２０，５２０  把持具固定部
１２１1，１２１2，２２１1，２２１2，３２１1，３２１2，４２１1，４２１2，５２１1，５２１2  第１および第２の挟持部
１２２，２２２，３２２，４２２，５２２  支点
１２３1，１２３2，２２３1，２２３2，３２３1，３２３2，４２３1，４２３2，５２３1，５２３2  第１および第２の滑止め部材
１３０，２３０，３３０，４３０，５３０  連結部
２１２1〜２１２8，３１２1〜３１２8，４１２1〜４１２8，５１２1〜５１２8  第１乃至第８の横スリット
２１４，３１４，４１４，５１４  縦スリット
５１５  作業用縦スリット
【図１】
2008102386.tif 000003
【図２】
2008102386.tif 000004
【図３】
2008102386.tif 000005
【図４】
2008102386.tif 000006
【図５】
2008102386.tif 000007
【図６】
2008102386.tif 000008